【手続補正書】
【提出日】平成26年9月29日(2014.9.29)
【手続補正１】
【補正対象書類名】明細書
【補正対象項目名】発明の名称
【補正方法】変更
【補正の内容】
【発明の名称】画像処理装置、画像処理方法および記録物
【手続補正２】
【補正対象書類名】明細書
【補正対象項目名】０００１
【補正方法】変更
【補正の内容】
【０００１】
本発明は、画像処理装置、画像処理方法および記録物に関し、詳しくは、記録画像において観察されるブロンズ現象に起因した画質低下を抑制する技術に関するものである。
【手続補正３】
【補正対象書類名】明細書
【補正対象項目名】０００８
【補正方法】変更
【補正の内容】
【０００８】
本発明は、この観点からなされたものであり、特に、記録色とブロンズ色の違いに起因した画質低下を抑制することが可能な画像処理装置、画像処理方法および記録物を提供することを目的とする。
【手続補正４】
【補正対象書類名】明細書
【補正対象項目名】０００９
【補正方法】変更
【補正の内容】
【０００９】
そのために本発明では、所定の色のインクと前記インクを被覆するための透明インクとを付与手段により記録媒体に付与することにより画像を形成するための画像処理装置であって、前記インクと前記透明インクとの前記記録媒体への付与量を決定する決定手段と、前記決定手段により決定された付与量に基づいて、記録装置によって前記付与手段に前記インクと前記透明インクとを前記記録媒体へ付与するためのインク付与データを生成する生成手段と、を具え、決定手段は、所定量の前記付与量の前記インクと所定量の前記付与量の前記透明インクとを前記記録媒体に付与することにより形成される画像を観測光源下で観測した際の正反射光を含まない反射光により観測される記録色と、前記記録色が正反射光を含む反射光によって観測されるブロンズ色と、のＬ*ａ*ｂ*平面における色相の差が９０度以下となるように前記付与量を決定することを特徴とする。
【手続補正５】
【補正対象書類名】特許請求の範囲
【補正対象項目名】全文
【補正方法】変更
【補正の内容】
【特許請求の範囲】
【請求項１】
所定の色のインクと前記インクを被覆するための透明インクとを付与手段により記録媒体に付与することにより画像を形成するための画像処理装置であって、
前記インクと前記透明インクとの前記記録媒体への付与量を決定する決定手段と、
前記決定手段により決定された付与量に基づいて、記録装置によって前記付与手段に前記インクと前記透明インクとを前記記録媒体へ付与するためのインク付与データを生成する生成手段と、を具え、
決定手段は、所定量の前記付与量の前記インクと所定量の前記付与量の前記透明インクとを前記記録媒体に付与することにより形成される画像を観測光源下で観測した際の正反射光を含まない反射光により観測される記録色と、前記記録色が正反射光を含む反射光によって観測されるブロンズ色と、のＬ*ａ*ｂ*平面における色相の差が９０度以下となるように前記付与量を決定することを特徴とする画像処理装置。
【請求項２】
前記所定の色のインクはシアンインクであることを特徴とする請求項１に記載の画像処理装置。
【請求項３】
前記色相の差が４０度以下であることを特徴とする請求項１に記載の画像処理装置。
【請求項４】
前記色相の差が３０度以下であることを特徴とする請求項１に記載の画像処理装置。
【請求項５】
前記所定の色のインクは第１の色のインクと第２の色のインクとを含み、前記第１の色のインクの付与量と前記第２のインクの付与量とが異なることを特徴とする請求項１に記載の画像処理装置。
【請求項６】
前記画像の形成は、前記付与手段としてのインクを吐出する記録ヘッドを前記記録媒体上の同一領域に複数回の走査を行って当該同一領域の記録を完成することにより行われるものであり、
前記決定手段により決定された前記付与量に基づいて記録装置が記録媒体にインクを記録するための記録データは、前記透明インク以外のインクよりも前記透明インクの方が後の走査で記録される割合が高くなるように生成されることを特徴とする請求項１に記載の画像処理装置。
【請求項７】
前記決定手段は、所定量の前記付与量の前記インクと所定量の前記付与量の前記透明インクとを前記記録媒体に付与することにより形成される画像を観測光源下で観測した際の正反射光を含まない反射光により観測される記録色と、前記記録色が正反射光を含む反射光によって観測されるブロンズ色と、のＬ*ａ*ｂ*平面における色相の差が９０度以下となるように前記付与量を決定するように前記インクと前記透明インクとの対応関係が定められたテーブルを用いて、入力画像信号に基づいて前記インクと前記透明インクとの前記記録媒体への付与量を決定することを特徴とする請求項１に記載の画像処理装置。
【請求項８】
所定の色のインクと前記インクを被覆するための透明インクとを付与手段により記録媒体に付与することにより画像を形成するための画像処理方法であって、
前記インクと前記透明インクとの前記記録媒体への付与量を決定する決定工程と、
前記決定工程により決定された付与量に基づいて、記録方法によって前記付与手段に前記インクと前記透明インクとを前記記録媒体へ付与するためのインク付与データを生成する生成工程と、を有し、
決定工程は、所定量の前記付与量の前記インクと所定量の前記付与量の前記透明インクとを前記記録媒体に付与することにより形成される画像を観測光源下で観測した際の正反射光を含まない反射光により観測される記録色と、前記記録色が正反射光を含む反射光によって観測されるブロンズ色と、のＬ*ａ*ｂ*平面における色相の差が９０度以下となるように前記付与量を決定することを特徴とする画像処理方法。
【請求項９】
前記所定の色のインクはシアンインクであることを特徴とする請求項８に記載の画像処理方法。
【請求項１０】
前記色相の差が４０度以下であることを特徴とする請求項８に記載の画像処理方法。
【請求項１１】
前記色相の差が３０度以下であることを特徴とする請求項８に記載の画像処理方法。
【請求項１２】
前記所定の色のインクは第１の色のインクと第２の色のインクとを含み、前記第１の色のインクの付与量と前記第２のインクの付与量とが異なることを特徴とする請求項８に記載の画像処理方法。
【請求項１３】
前記画像の形成は、前記付与手段としてのインクを吐出する記録ヘッドを前記記録媒体上の同一領域に複数回の走査を行って当該同一領域の記録を完成することにより行われるものであり、
前記決定工程により決定された前記付与量に基づいて記録方法が記録媒体にインクを記録するための記録データは、前記透明インク以外のインクよりも前記透明インクの方が後の走査で記録される割合が高くなるように生成されることを特徴とする請求項８に記載の画像処理方法。
【請求項１４】
前記決定工程は、所定量の前記付与量の前記インクと所定量の前記付与量の前記透明インクとを前記記録媒体に付与することにより形成される画像を観測光源下で観測した際の正反射光を含まない反射光により観測される記録色と、前記記録色が正反射光を含む反射光によって観測されるブロンズ色と、のＬ*ａ*ｂ*平面における色相の差が９０度以下となるように前記付与量を決定するように前記インクと前記透明インクとの対応関係が定められたテーブルを用いて、入力画像信号に基づいて前記インクと前記透明インクとの前記記録媒体への付与量を決定することを特徴とする請求項８に記載の画像処理方法。
【請求項１５】
コンピュータに読取られることにより、当該コンピュータを請求項１ないし７のいずれか１項に記載の画像処理装置として機能させることを特徴とするプログラム。
【請求項１６】
記録媒体に形成された記録物であって、
所定の色のインクにより形成された第１の層と、
前記第１の層を覆うように透明インクにより形成された第２の層と、を有し、
前記記録物を観測光源下で観測した際の正反射光を含まない反射光により観測される記録色と、前記記録色が正反射光を含む反射光によって観測されるブロンズ色と、のＬ*ａ*ｂ*平面における色相の差が９０度以下であることを特徴とする記録物。
【請求項１７】
前記所定の色のインクはシアンインクであることを特徴とする請求項１６に記載の記録物。
【請求項１８】
前記色相の差が４０度以下であることを特徴とする請求項１６に記載の記録物。
【請求項１９】
前記色相の差が３０度以下であることを特徴とする請求項１６に記載の記録物。
【請求項２０】
前記第１の層は第１の色のインク層と第２の色のインク層との積層物であることを特徴とする請求項１６に記載の記録物。